(57)【要約】【課題】  電子機器における取付側面の異なる２つのカバーの開閉を１つのインターロックスイッチで検知する。【解決手段】  電子機器本体内部に備えられ、電子機器本体の内部電源をオン或いはオフにするインターロックスイッチと、前記電子機器本体の一の側面に開閉可能に設けられ、前記インターロックスイッチをオン或いはオフに作動させる作動レバーを備えた第１のカバーと、前記第１のカバーとは異なる他の側面に設けられた第２のカバーとを有する電子機器のインターロック機構において、前記第２のカバーを開閉操作する開閉レバーを備え、該開閉レバーは第１のカバーを開放した状態でのみ操作が可能であり、前記第１のカバー及び第２カバーの開閉に伴う内部電源のオン或いはオフを、前記インターロックスイッチにより制御する。【選択図】  図９
2009026656.tif 000002
【特許請求の範囲】
【請求項１】
電子機器本体内部に備えられ、電子機器本体の内部電源をオン或いはオフにするインターロックスイッチと、前記電子機器本体の一の側面に開閉可能に設けられ、前記インターロックスイッチをオン或いはオフに作動させる作動レバーを備えた第１のカバーと、前記第１のカバーとは異なる他の側面に設けられた第２のカバーとを有する電子機器のインターロック機構において、
前記第２のカバーを開閉操作する開閉レバーを備え、
該開閉レバーは第１のカバーを開放した状態でのみ操作が可能であり、
前記第１のカバー及び第２カバーの開閉に伴う内部電源のオン或いはオフを、前記インターロックスイッチにより制御することを特徴とする電子機器のインターロック機構。
【請求項２】
前記第２のカバーは、前記他の側面に対してスライド開閉可能であり、
前記開閉レバーの一端部は、前記第２のカバーのスライド方向端面に接続され、
前記第１のカバーが閉じた状態では前記開閉レバーの他端部が該第１のカバーの内壁に内接して前記第２のカバーのスライドが阻害され、前記第１のカバーが開放された時、前記他端部が前記内壁から離反してスライドが許容されることを特徴とする請求項１に記載の電子機器のインターロック機構。
【請求項３】
前記開閉レバーは、前記第１のカバーを閉じた時、該第１のカバーに押圧されスライドして前記第２のカバーを閉位置まで移動させることを特徴とする請求項２に記載の電子機器のインターロック機構。
【請求項４】
前記第２のカバーの内側には係止部が設けられ、
前記第２のカバーのスライド方向を規制すべく該第２のカバーの内側に備えられた規制部材には、該スライド方向の一部に、前記係止部と所定の間隙をもって対向配置された被係止部が設けられ、
前記第２のカバーを内側へ撓ませた状態でスライドさせた場合、前記係止部と被係止部が係合することにより、前記第２のカバーのスライドを阻止する開放防止手段が設けられていることを特徴とする請求項２又は３に記載の電子機器のインターロック機構。
【発明の詳細な説明】
【技術分野】
【０００１】
本発明は、電子機器における取付側面の異なる２つのカバーの開閉を、１つのスイッチで検知するインターロック機構に関する。
【背景技術】
【０００２】
従来、画像読取記録装置１６において、隣接する２つのカバーを連動して開閉させる手段としては、以下のようなものが提案されている（下記特許文献１参照）。
図１２は読取系の原稿搬送路と記録系の記録シート搬送路とを有する画像読取記録装置において、詰まってしまった原稿１７を引き出すため原稿を押圧している部位の押圧を解除するが、原稿搬送路内に容易に触れることのできない第１の開放状態であり、図１３は、原稿搬送路から異物を除去したり汚れを清掃するメンテナンスを行うため原稿搬送路を完全に開放する第２の開放状態である。
より詳しくは、記録シート搬送路開放ユニット（第１のカバー）１８が回動されることによって記録シート搬送路が開放される。原稿搬送路開放ユニット（第２のカバー）１９が回動されることにより原稿搬送路が開放される。
そして原稿搬送路開放ユニット１９は以下の２つの状態に回動できる。
一つは図１３に示すように、記録シート搬送開放ユニット１８が回動された状態において原稿搬送路開放ユニット１９を回動させる場合であり、両ユニット１８，１９は略垂直の状態まで回動を行う。従って、両搬送路は完全に開放され、前記第２の開放状態となる。
もう一つは図１２に示すように、記録シート搬送路開放ユニット１８が回動されない状態において原稿搬送路開放ユニット１９が回動される場合であり、原稿搬送開放ユニット１９は記録シート搬送開放ユニット１８の係止手段２０により係止され回動量を制限される。この制限により原稿搬送路はいわば半開放状態となり前記第１の開放状態となる。
【特許文献１】特開平２−１５１１６９号公報
【発明の開示】
【発明が解決しようとする課題】
【０００３】
しかしながら、この特許文献１の画像読取記録装置においては、記録シート搬送路開放ユニット１８により、原稿搬送路開放ユニット１９の回動量を制限するためには、記録シート搬送路開放ユニット１８と原稿搬送路開放ユニット１９とが同一面に取り付けられなければならず、構造的に限定されるものであった。
特に大型の画像形成装置においては、様々な駆動部があり読取系と記録系とが離れている場合が多く、この場合上記構成では前記第１の開放状態及び前記第２の開放状態を導くことは難しいものであった。
一方、記録シート搬送開放ユニット１８と原稿搬送開放ユニット１９とが同一面に取り付けられていない場合、２つのユニットの開閉を１つのインターロックスイッチで検知することは非常に困難であった。
また、上記構成では原稿搬送開放ユニット１９に対する係止手段は、記録シート搬送開放ユニット１８による係止手段２０だけであり、安全性を考慮して原稿搬送開放ユニット１９の開口係止手段を２つ以上設けることは更に困難であった。
【０００４】
本発明は、このような課題に鑑みてなされたものであり、電子機器における取付側面の異なる２つのカバーの開閉を１つのインターロックスイッチで検知することができ、第２のカバーの係止手段を２つ以上備えた電子機器のインターロック機構を提供することを目的とする。
【課題を解決するための手段】
【０００５】
上記目的を達成するために、請求項１に係る発明は、電子機器本体内部に備えられ、電子機器本体の内部電源をオン或いはオフにするインターロックスイッチと、前記電子機器本体の一の側面に開閉可能に設けられ、前記インターロックスイッチをオン或いはオフに作動させる作動レバーを備えた第１のカバーと、前記第１のカバーとは異なる他の側面に設けられた第２のカバーとを有する電子機器のインターロック機構において、前記第２のカバーを開閉操作する開閉レバーを備え、該開閉レバーは第１のカバーを開放した状態でのみ操作が可能であり、前記第１のカバー及び第２カバーの開閉に伴う内部電源のオン或いはオフを、前記インターロックスイッチにより制御することを特徴とするものである。
【０００６】
請求項２に係る発明は、請求項１に記載の発明において、前記第２のカバーは、前記他の側面に対してスライド開閉可能であり、前記開閉レバーの一端部は、前記第２のカバーのスライド方向端面に接続され、前記第１のカバーが閉じた状態では前記開閉レバーの他端部が該第１のカバーの内壁に内接して前記第２のカバーのスライドが阻害され、前記第１のカバーが開放された時、前記他端部が前記内壁から離反してスライドが許容されることを特徴とするものである。
【０００７】
請求項３に係る発明は、請求項２に記載の発明において、前記開閉レバーは、前記第１のカバーを閉じた時、該第１のカバーに押圧されスライドして前記第２のカバーを閉位置まで移動させることを特徴とするものである。
【０００８】
請求項４に係る発明は、請求項２又は３に記載の発明において、前記第２のカバーの内側には係止部が設けられ、前記第２のカバーのスライド方向を規制すべく該第２のカバーの内側に備えられた規制部材には、該スライド方向の一部に、前記係止部と所定の間隙をもって対向配置された被係止部が設けられ、前記第２のカバーを内側へ撓ませた状態でスライドさせた場合、前記係止部と被係止部が係合することにより、前記第２のカバーのスライドを阻止する開放防止手段が設けられていることを特徴とするものである。
【発明の効果】
【０００９】
請求項１に係る発明は、電子機器本体内部に備えられ、電子機器本体の内部電源をオン或いはオフにするインターロックスイッチと、前記電子機器本体の一の側面に開閉可能に設けられ、前記インターロックスイッチをオン或いはオフに作動させる作動レバーを備えた第１のカバーと、前記第１のカバーとは異なる他の側面に設けられた第２のカバーとを有する電子機器のインターロック機構において、前記第２のカバーを開閉操作する開閉レバーを備え、該開閉レバーは第１のカバーを開放した状態でのみ操作が可能であり、前記第１のカバー及び第２カバーの開閉に伴う内部電源のオン或いはオフを、前記インターロックスイッチにより制御するものである。
これにより、単一のインターロックスイッチにより、取付側面の異なる第１のカバー及び第２のカバーの開閉を検知することができる。
また、第２のカバーがインターロックスイッチを持たない場合でも、インターロックスイッチを有する第１のカバーの開閉に連動して第２のカバーの開閉がなされるので、取付側面の異なる２つのカバーの開閉が１つのインターロックスイッチで検知できる。
また、取付側面の異なる２つのカバーの開閉に連動して自動的にインターロックスイッチを作動させることができる
【００１０】
請求項２に係る発明は、請求項１に記載の発明において、前記第２のカバーは、前記他の側面に対してスライド開閉可能であり、前記開閉レバーの一端部は、前記第２のカバーのスライド方向端面に接続され、前記第１のカバーが閉じた状態では前記開閉レバーの他端部が該第１のカバーの内壁に内接して前記第２のカバーのスライドが阻害され、前記第１のカバーが開放された時、前記他端部が前記内壁から離反してスライドが許容されるものである。
これにより、第１のカバーを開くことで初めて第２のカバーが開放されるので、第１のカバーは第２のカバーの第１の係止手段となることができる。
【００１１】
請求項３に係る発明は、請求項２に記載の発明において、前記開閉レバーは、前記第１のカバーを閉じた時、該第１のカバーに押圧されスライドして前記第２のカバーを閉位置まで移動させるものである。
これにより、第１のカバーの閉鎖に連動して第２のカバーを閉めることができる。
【００１２】
請求項４に係る発明は、請求項２又は３に記載の発明において、前記第２のカバーの内側には係止部が設けられ、前記第２のカバーのスライド方向を規制すべく該第２のカバーの内側に備えられた規制部材には、該スライド方向の一部に、前記係止部と所定の間隙をもって対向配置された被係止部が設けられ、前記第２のカバーを内側へ撓ませた状態でスライドさせた場合、前記係止部と被係止部が係合することにより、前記第２のカバーのスライドを阻止する開放防止手段が設けられているものである。
これにより、通常操作では第１のカバーが閉じた状態では、第１の係止手段により第２のカバーは開かないようになっているにも関わらず、第２のカバーの撓み等により隙間があく事があるが、これを新たな部材を付加することなく簡易な方法で確実に防止することにより安全性の高い電子機器を提供することができる。
即ち、前記係止部と前記被係止部とを第２の係止手段として機能させることができる。
【発明を実施するための最良の形態】
【００１３】
以下、図面を参照しながら、本発明に係る電子機器のインターロック機構の実施の形態について説明する。
本実施の形態においては、電子機器は画像形成装置である場合について説明する。
まず、本実施の形態における画像形成装置の構成について説明する。
図１は本実施の形態における画像形成装置の内部構造を示す左側面図であり、図２は本実施の形態における画像形成装置の内部構造を示す右側面図である。
図１及び図２に示すように、第１のカバー２はその内部に収納されたトナーカートリッジの交換のための扉であり、画像形成装置１を正面（一の側面）から覆う蓋状のカバーである。第１のカバー２はその下部においてヒンジ部３により回動可能に支持され、その上部が画像形成装置１の外側に向かって開放されるように設けられている。
ユーザが第１のカバー２を開けた状態（図６乃至図９参照）では、駆動部による怪我、高圧部による感電、潜像を形成するためのレーザ光の照射等の事故が発生する。そこでこれを防ぐために、画像形成装置１本体内部の第１のカバー２の内壁付近に、画像形成装置１の全ての駆動部の電源を落とすためのインターロックスイッチ４を備えている。インターロックスイッチ４は、インターロックスイッチ４に隣接し第１のカバー２の内壁に備えられた作動レバー５によりオン或いはオフに切り替えることにより作動されるものである。
また、第１のカバー２は第１のカバー２に連結して備えられたフック状のロック機構６により、画像形成装置１本体と一体になるよう閉じられている。
【００１４】
図３に示すように、画像形成装置１の内部機構の側方は外装カバー８で覆われている。この外装カバー８に帯電手段、感光体を備えたドラムユニットに臨む開口部９が設けられている。この開口部９をカバーする画像形成装置１の側面（他の側面）に備えられた内部カバーが第２のカバー７である。
即ち、第２のカバー７は画像形成装置１の側面（他の側面）に配設されており、帯電手段１０（チャージャ）の清掃時等において、チャージャを抜き差しする為に設けられた開口部９をカバーする板状の扉である。
このように、第１のカバー２が画像形成装置１の正面（一の側面）に配設されているのに対して、第２のカバー７は画像形成装置１の側面（他の側面）に配設されている。
第２のカバー７は、後述するように（図１０及び図１１参照）第２のカバー７と帯電手段１０との間に備えられたレール部材１３を介して、第１のカバー２に向かって直角にスライド可能に取り付けられている。
第２のカバー７の形状については特に限定されるものではないが、帯電手段１０を正面から覆うだけの面積を有するものが好ましく、本実施の形態においては略正方形板状である。また第２のカバー７の厚みについても特に限定されるものではないが、外部からの衝撃に対し帯電手段１０を保護することのできる厚みを有することが望ましい。
本実施の形態における感光体１１は、感光ドラムであり、光半導体を用いており、暗中では絶縁体の性質を持ち、明るい場所では導体の性質を持つ為、暗中でプラスまたはマイナスに帯電させることで、トナーを付着させる電荷を持たせる事ができる。光が当たった部位は導体となり電荷を失う。
感光体１１においては、一次帯電、露光、現像、転写、分離、除電及びクリーニング等を行うものである。
なお、本実施の形態においては、第２のカバー７により帯電手段１０をカバーするようにしたが、本発明はこれに限定されるものではなく、第２のカバー７により所望の駆動部をカバーすることができる。
【００１５】
開閉レバー１２が第２のカバー７に接続して備えられている。開閉レバー１２の形状は特に限定されるものではないが、本実施の形態においては、略Ｌ字の板状でありその一端が第１のカバー２に直角に向かっているものである。
本実施の形態において開閉レバー１２は、第１のカバー２と第２のカバー７とが閉じた状態において、第１のカバー２に向かう一端を第１のカバー２の内壁に内接させる。また、第２のカバー７に近い他端を第２のカバー７における第１のカバー２側の側面に接続している。
開閉レバー１２の厚みは第２のカバー７と略同厚であり、その面積及び重さは特に限定されるものではないが、後述するように（図４乃至図９参照）第１のカバー２が開閉することにより、第１のカバー２により何度も係止される事、また押圧される事に耐えられる強度を持つ必要がある。
また、本実施の形態においては、第１のカバー２を画像形成装置１の右側面に設けたため、開閉レバー１２を第２のカバー７の右側に備えたが、本発明はこれに限定されるものではなく、第１のカバー２を画像形成装置１の左側面に備えた場合、開閉レバー１２は第２のカバー７の左側に備えられ且つ第１のカバー２に直角に向かう方向に設けられるものである。
【００１６】
次に、本実施の形態における画像形成装置１のインターロック機構の動作について説明する。
図４は本実施の形態における画像形成装置の内部構造を示す右側面図であって、第１のカバーと第２のカバーが閉じている状態を示しており、図５は本実施の形態における画像形成装置の第１のカバー及び第２のカバーのみを示し、第１のカバー及び第２のカバーが閉じている状態を示すイメージ図である。
図４及び図５に示すように、第１のカバー２が閉じている状態においては、第２のカバー７に接続している開閉レバー１２の第１のカバー２側に延びる先端部が第１のカバー２の内壁に内接している。
この状態において、第１のカバー２は第２のカバー７を、開閉レバー１２を介して係止していると言える。即ち、第１のカバー２は第２のカバーの第１の係止手段（第１の開放防止手段）として機能している。
従って、第１のカバー２が閉じている状態においては、第２のカバー７もスライド移動することなく帯電手段１０をカバーしている状態で閉じている。
【００１７】
図６は、本実施の形態における画像形成装置の内部構造を示す右側面図であって、第１のカバーが開いている時の第２のカバーの詳細を示す図であり、図７は本実施の形態における画像形成装置の第１のカバー及び第２のカバーのみを示し、第１のカバーが開いている時の状態を示すイメージ図である。
図８は本実施の形態における画像形成装置の内部構造を示す左側面図であって、第１のカバーが開き、第２のカバーが閉じている状態を示し、図９は本実施の形態における画像形成装置の内部構造を示す左側面図であって、第１のカバー及び第２のカバーが開いている状態を示す図である。
図６及び図７に示すように、第１のカバー２を開放することにより、インターロックスイッチ４から作動レバー５が離れることになり、インターロックスイッチは自動的にオフになる。これにより、画像形成装置１の全ての駆動部の動作を停止させる。
図８に示すように、第１のカバー２が開けられることにより、開閉レバー１２の第１のカバー２側に延びる先端部から第１のカバー２が離反し、第１のカバー２による第１の係止手段が解除され開閉レバー１２の先端部が露出される。この状態から図９に示すように、ユーザの手により開閉レバー１２の先端部を、開放された第１のカバー２に向かって直角方向且つ設置面に対して水平方向に引き出す。これにより第２のカバー７が開放される。
【００１８】
また、第１のカバー２を閉じることにより、インターロックスイッチ４と作動レバー５とが当接し、インターロックスイッチ４は自動的にオンになり、全ての駆動部の動作を再開させる。この時、第１のカバー２の内壁が第１のカバー２側に突出した開閉レバー１２の先端部を押圧し、開閉レバー１２を第１のカバー２とは反対方向の左方向にスライド移動させる。これにより開閉レバー１２に接続している第２のカバー７も左方向にスライド移動し、元の位置に戻り帯電手段１０をユーザに触れさせないようにする。
上記のように本実施の形態において、第１のカバー２と第２のカバー７とは開閉レバー１２を介して間接的に隣接している状態を作り出していると言える。
第１のカバー２に備えられた単一のインターロックスイッチ４は、第１のカバー２だけでなく、インターロックスイッチ４を持たない第２のカバー７の開閉にも連動して作動する。
【００１９】
次に、本実施の形態における第２のカバーの第２の係止手段（第２の開放防止手段）の構成について説明する。
図１０及び図１１は本実施の形態における第２のカバーとレール部材とを上面から見たイメージ図である。
第２のカバー７と帯電手段１０との間に、第１のカバー２に対して直角且つ設置面に対して水平方向にレール部材１３が備えられている。
レール部材１３の左部において、帯電手段１０側に窪む溝部（被係止部）１４が形成されている。
第２のカバー７の左端にはレール部材１３側に突出する係止部１５が形成されている。
なお、本実施の形態においてはレール部材１３は第２のカバー７と帯電手段１０との間に設けたが、本発明はこれに限定されるものではなくレール部材１３を外装カバー（取付側面）８の裏面に備えることも可能である。
また、本実施の形態においては第２のカバー７を右方向にスライドさせ開放するものとしたので、溝部１４及び係止部１５を夫々レール部材１３及び第２のカバー７の左部に備えたが、本発明はこれに限定されるものではなく、第２のカバー７を左方向にスライドさせて開放する場合は、溝部１４及び係止部１５を夫々レール部材１３及び第２のカバー７の右側に備える。
上記のように構成された第２のカバーの第２の係止手段の動作について説明する。
画像形成装置１の第１のカバー２を開けずに、第２のカバー７を撓ませてスライドさせようとした場合、第２のカバー７には取手又はスイッチがないため手動で開けることになる。
この場合、開閉レバー１２の操作はできないので、第２のカバー７をレール部材１３方向に押圧しながら（図１０の点線矢印参照）右方向にスライド移動させることになる。
しかし、第２のカバー７は押圧により内側に撓んでいるため、第２のカバー７をスライドさせようとしても、レール部材１３に備えられた溝部１４と、第２のカバーに備えられた係止部１５とが係合することにより少しスライドした時点でそのスライド移動は停止し、第２のカバー７はほとんど隙間を生じさせない。
上述したように、通常操作では第１のカバー２が閉じた状態では、第１の係止手段により第２のカバーは開かないようになっているが、第２のカバー７の撓み等により隙間があく事があり、これを防止するのが第２の係止手段である。
【産業上の利用可能性】
【００２０】
本発明は、取付側面が異なる２つのカバーを有する電子機器において、単一のスイッチで両カバーの開閉を検知する場合において好適に利用できるものである。
【図面の簡単な説明】
【００２１】
【図１】本発明における電子機器の内部構造を示す左側面図
【図２】本発明における電子機器の内部構造を示す右側面図
【図３】本発明における第２のカバーを示す斜視図
【図４】第１のカバーが閉じている時の第２のカバーの詳細を示す左側面図
【図５】第１のカバーが閉じている状態を示すカバーのみを示す斜視図
【図６】第１のカバーが開いている時の第２のカバーの詳細を示す右側面図
【図７】第１のカバーが開いている状態を示すカバーのみを示す斜視図
【図８】第１のカバーが開き、第２のカバーが閉じている状態を示す左側面図
【図９】第１のカバー及び第２のカバーが開いている状態を示す左側面図
【図１０】第２のカバーの第２の係止手段を示す概略上面図
【図１１】第２のカバーの第２の係止手段により、第２のカバーがロックされている状態を示す概略上面図
【図１２】従来技術において第１のカバーが第２のカバーを係止している状態を示す断面右側面図
【図１３】従来技術において第１のカバーと第２のカバーとが開いている状態を示す断面右側面図
【符号の説明】
【００２２】
１  画像形成装置（電子機器）  
２  第１のカバー
４  インターロックスイッチ  
５  作動レバー
７  第２のカバー  
１２  開閉レバー  
１３  レール部材
１４  溝部（被係止部）
１５  係止部
【図１】
2009026656.tif 000003
【図２】
2009026656.tif 000004
【図３】
2009026656.tif 000005
【図４】
2009026656.tif 000006
【図５】
2009026656.tif 000007
【図６】
2009026656.tif 000008
【図７】
2009026656.tif 000009
【図８】
2009026656.tif 000010
【図９】
2009026656.tif 000011
【図１０】
2009026656.tif 000012
【図１１】
2009026656.tif 000013
【図１２】
2009026656.tif 000014
【図１３】
2009026656.tif 000015